(57)【要約】【課題】  従来、水栓本体内に浄水カートリッジを収納した浄水器用水栓は、浄水カートリッジの寿命が短く、浄水カートリッジを頻繁に交換しなくてはいけないという問題があった。【解決手段】  浄水カートリッジ１５により浄化された浄水を吐出する浄水器用水栓１であって、浄水カートリッジ１５を浄水器用水栓１の水栓本体１１内に収納し、浄水カートリッジ１５および水栓本体１１が、浄水器用水栓１が設置されるカウンター３の内部にまで延出している。【選択図】  図１
2005240417.tif 000002
【特許請求の範囲】
【請求項１】
浄水カートリッジにより浄化された浄水を吐出する浄水器用水栓であって、
浄水カートリッジを浄水器用水栓の水栓本体内に収納し、
浄水カートリッジおよび水栓本体が、浄水器用水栓が設置されるカウンターの内部にまで延出していることを特徴とする浄水器用水栓。
【請求項２】
前記水栓本体の軸中心と、浄水カートリッジの軸中心とを偏心配置し、
水栓本体における、浄水カートリッジの偏心方向とは逆側のスペースに水路を形成したことを特徴とする請求項１に記載の浄水器用水栓。
【請求項３】
前記水栓本体の上端には、蓋体が着脱可能に取り付けられており、該蓋体を取り外すと、浄水カートリッジを収納する空間の上端が開放されることを特徴とする請求項１または請求項２に記載の浄水器用水栓。
【発明の詳細な説明】
【技術分野】
【０００１】
本発明は、浄水カートリッジにより浄化された浄水を吐出する浄水器用水栓に関する。
【背景技術】
【０００２】
従来から、浄水カートリッジにより浄化された浄水を吐出する浄水器用水栓は、キッチン等のカウンター上に設置される水栓本体と、水栓本体に設けられる浄水吐出用の吐水口と、水栓本体とは別体に構成される浄水カートリッジとを備え、浄水カートリッジをシンク下に設置したものが一般的であった。例えば、特許文献１に記載される浄水器用水栓のごとくである。
このように、シンク下に浄水カートリッジを設置する浄水器用水栓は、シンク下の一定のスペースを浄水カートリッジの設置スペースとして占領してしまうため、シンク下の収納スペースが減少してしまうという問題があった。
【０００３】
そこで、近年では、浄水カートリッジをシンク下に設置しないタイプの浄水器用水栓が考案されている。
例えば、図７に示す浄水器用水栓３０１のように、浄水カートリッジ３１５を水栓本体３１１内に収納したものである。この浄水器用水栓３０１はカウンター３０３の上面側に設置されており、水道管３０２から供給される原水を、水栓本体３１１内の浄水カートリッジ３１５にて浄化して浄水とした後に、吐水口３１２から吐水するように構成されている。
なお、浄水の吐水口３１２からの吐水および止水の切り換えは、切り換えレバー３１３の操作により行われる。また、浄水器用水栓３０１は、水栓本体３１１の下端部３１１ａをカウンター３０３に取り付けることで、設置されている。
【０００４】
【特許文献１】特開平５−３１７８５２号公報
【発明の開示】
【発明が解決しようとする課題】
【０００５】
前述の浄水器用水栓３０１においては、カウンター３０３より上側に配置される水栓本体３１１を、美感上・デザイン上の問題やカウンター３０３のスペースの問題等から、あまり大きくすることができないため、水栓本体３１１内に収納されている浄水カートリッジ３１５も小さくなってしまう。
従って、従来の水栓本体３１１内に浄水カートリッジ３１５を収納する浄水器用水栓３０１では、浄水カートリッジ３１５の寿命が短く、浄水カートリッジ３１５を頻繁に交換しなくてはいけないという問題があった。
【課題を解決するための手段】
【０００６】
上記課題を解決する浄水器用水栓は、以下の特徴を有する。
即ち、請求項１記載の如く、浄水カートリッジにより浄化された浄水を吐出する浄水器用水栓であって、浄水カートリッジを浄水器用水栓の水栓本体内に収納し、浄水カートリッジおよび水栓本体が、浄水器用水栓が設置されるカウンターの内部にまで延出している。
これにより、カウンターの外側に露出している上部側の水栓本体の部分を、美感やデザインを損なうことなく小さく構成しつつ、水栓本体内に収納される浄水カートリッジとして、長くて大容積の浄水カートリッジを用いることが可能となる。
これにより、優れた美感やデザインを備えた小型の浄水器用水栓でありながら、長寿命の浄水カートリッジを用いることができ、浄水カートリッジの交換頻度を減少してメンテナンス性に優れた浄水器用水栓とすることができる。
【０００７】
また、請求項２記載の如く、前記水栓本体の軸中心と、浄水カートリッジの軸中心とを偏心配置し、水栓本体における、浄水カートリッジの偏心方向とは逆側のスペースに水路を形成した。
これにより、水栓本体のスペースを有効的に利用することが可能となり、水栓本体を小径に構成しつつ、浄水カートリッジの収納スペース、および水路を形成するスペースを確保することができる。
【０００８】
また、請求項３記載の如く、前記水栓本体の上端には、蓋体が着脱可能に取り付けられており、該蓋体を取り外すと、浄水カートリッジを収納する空間の上端が開放される。
これにより、浄水カートリッジの交換を、蓋体を取り外して使用済みの浄水カートリッジを抜き取り、新しい浄水カートリッジを挿入して蓋体を閉めるだけの簡単な作業で行うことができる。
つまり、カウンターの内部に潜り込んで狭い空間の中で浄水カートリッジの交換作業を行ったり、浄水器用水栓全体をカウンターから取り外して浄水カートリッジを交換したりするなどの煩雑な作業は必要としない。
【発明の効果】
【０００９】
本発明によれば、優れた美感やデザインを備えた小型の浄水器用水栓でありながら、浄水カートリッジの交換頻度を減少してメンテナンス性に優れた浄水器用水栓とすることができる。
また、水栓本体のスペースを有効的に利用することができ、水栓本体を小径に構成しつつ、浄水カートリッジの収納スペース、および水路を形成するスペースを確保することができる。
さらに、浄水カートリッジの交換を、簡単な作業で行うことができる。
【発明を実施するための最良の形態】
【００１０】
次に、本発明を実施するための形態を、添付の図面を用いて説明する。
まず、図１に示す浄水器用水栓１の全体的な概略構成について説明する。
浄水器用水栓１は、水栓本体１１と、水栓本体１１内に収納される浄水カートリッジ１５と、浄水を吐水する吐水口１２と、浄水の吐水および止水を切り換える切り換えレバー１３とを備えている。
【００１１】
水栓本体１１は、カウンター３の上側に突出している上部本体１１ａと、カウンター３の下側に突出してしている下部本体１１ｂと、上部本体１１ａと下部本体１１ｂとの間に位置し、カウンター３の取り付け孔３ａに螺挿される取り付け部１１ｃと、上部本体１１ａの上端に着脱可能に取り付けられている本体蓋１１ｄとで構成されている。
吐水口１２および切り換えレバー１３は上部本体１１ａに取り付けられており、浄水カートリッジ１５は、上部本体１１ａの上部から下部本体１１ｂの下部へかけて収納されている。
【００１２】
そして、浄水器用水栓１は、水道管２から下部本体１１ｂの下端部へ供給される原水を、水栓本体１１内の浄水カートリッジ１５にて浄化して浄水とした後に、吐水口１２から吐水するように構成されており、浄水の吐水口１２からの吐水および止水の切り換えは、切り換えレバー１３の操作により行う。
【００１３】
次に、浄水器用水栓１における水栓本体１１の具体的な構成、および水の流れについて説明する。
図２〜図６に示すように、水栓本体１１は略円筒形状に形成されており、水栓本体１１内における上端部から下端部にかけてカートリッジ室１１１が形成されている。
また、水栓本体１１内には、上端部から下端部にかけてカートリッジ室１１１と並行に供給側原水路１１２および吐出側原水路１１３が形成されている。
【００１４】
カートリッジ室１１１に収納される浄水カートリッジ１５は、水栓本体１１の内周よりも小径の円柱形状に形成され、水栓本体１１の軸心と浄水カートリッジ１５の軸心とは偏心して配置されている（図３では浄水カートリッジ１５が水栓本体１１に対して左側に偏心して配置している）。
図３に示すように、供給側原水路１１２および吐出側原水路１１３は、上下方向の多くの範囲にわたって平面視略三日月状に形成され、浄水カートリッジ１５の軸心方向とは反対側に配置されている（図３では水栓本体１１内の右側端部）。
【００１５】
つまり、水栓本体１１では、浄水カートリッジ１５（カートリッジ室１１１）の配置位置を、平面視にて水栓本体１１に対して偏心させることで、偏心方向とは逆側に供給側原水路１１２および吐出側原水路１１３を形成するスペースを作り出している。
このように、水栓本体１１の軸中心に対して浄水カートリッジ１５の軸中心を偏心して配置することで、平面視における水栓本体１１のスペースを有効的に利用することが可能となり、水栓本体１１を小径に構成しつつ、浄水カートリッジ１５の収納スペース、および供給側原水路１１２と吐出側原水路１１３とを形成するスペースを確保することができる。
【００１６】
供給側原水路１１２の一端（図２における下端）は供給口１１４を通じて水道管２と接続されており（図５参照）、吐出側原水路１１３の一端（図２における下端）は接続通路１１５を通じてカートリッジ室１１１の一端（図２における下端）と接続されている（図４参照）。
また、供給側原水路１１２の他端（図２における上端）と、吐出側原水路１１３の他端（図２における上端）との間には切り換え弁１６が介装されており、該切り換え弁１６により、供給側原水路１１２と吐出側原水路１１３との間の、連通状態と分断状態とを切り換え可能としている。切り換え弁１６の切り換えは、操作レバー１３を操作することにより行う。
さらに、カートリッジ室１１１の他端（図２における上端）は吐水口１２と連通している。
【００１７】
このように構成される浄水器用水栓１に、水道管２から供給される原水は、次のようにして浄化され吐水口１２から吐水される。
まず、水道管２から供給される原水は、供給口１１４を通じて供給側原水路１１２内に浸入する。供給側原水路１１２内に浸入した原水は、切り換え弁１６が閉じて供給側原水路１１２と吐出側原水路１１３とが分断されているときは、供給側原水路１１２内に留まる。
【００１８】
一方、切り換え弁１６が開いて供給側原水路１１２と吐出側原水路１１３とが連通しているときには吐出側原水路１１３へ供給され、次にカートリッジ室１１１へ浸入する。
カートリッジ室１１１へ浸入した原水は、浄水カートリッジ１５により浄化されて浄水となった後に、吐水口１２から吐水される。
【００１９】
以上のごとく構成される浄水器用水栓１は、浄水カートリッジ１５を収納する水栓本体１１が、カウンター３の下方にまで、すなわちカウンター３の内部にまで延出しているので、水栓本体１１の上下の長さ寸法Ｌ（図１参照）を大きくすることができる。
従って、カウンター３の外側（上側）に露出している上部本体１１ａの部分を、美感やデザインを損なうことなく小さく構成しつつ、水栓本体１１内に収納される浄水カートリッジ１５として、長くて大容積の浄水カートリッジを用いることが可能となる。
これにより、優れた美感やデザインを備えた小型の浄水器用水栓１でありながら、長寿命の浄水カートリッジ１５を用いることができ、浄水カートリッジ１５の交換頻度を減少してメンテナンス性に優れた浄水器用水栓１とすることができる。
【００２０】
また、水栓本体１１は、本体蓋１１ｄを上部本体１１ａから取り外すことでカートリッジ室１１１の上端が開放されるように構成しているので、浄水カートリッジ１５の交換を、本体蓋１１ｄを取り外して使用済みの浄水カートリッジ１５を抜き取り、新しい浄水カートリッジ１５を挿入して本体蓋１１ｄを閉めるだけの簡単な作業で行うことができる。
つまり、本浄水器用水栓１では、カウンター３の内部に潜り込んで狭い空間の中で浄水カートリッジ１５の交換作業を行ったり、浄水器用水栓１全体をカウンター３から取り外して浄水カートリッジ１５を交換したりするなどの煩雑な作業は必要としない。
【図面の簡単な説明】
【００２１】
【図１】本発明の浄水器用水栓を示す側面図である。
【図２】浄水器用水栓を示す側面断面図である。
【図３】図２における矢視Ｃ−Ｃ断面図である。
【図４】図２における矢視Ｂ−Ｂ断面図である。
【図５】図２における矢視Ａ−Ａ断面図である。
【図６】図２における矢視Ｄ−Ｄ断面図である。
【図７】従来の浄水器用水栓を示す側面図である。
【符号の説明】
【００２２】
１  浄水器用水栓
１１  水栓本体
１１ａ  上部本体
１１ｂ  下部本体
１５  浄水カートリッジ
【図１】
2005240417.tif 000003
【図２】
2005240417.tif 000004
【図３】
2005240417.tif 000005
【図４】
2005240417.tif 000006
【図５】
2005240417.tif 000007
【図６】
2005240417.tif 000008
【図７】
2005240417.tif 000009